(57)【要約】【課題】  ユーザによって入力されたキーワードに関連するキーワードを抽出し、それをユーザに選択させることによりユーザによるキーワード入力が省略でき、連鎖的に関連した映像を取得（閲覧）することができる映像閲覧装置及び映像閲覧方法を提供する。【解決手段】  映像データと映像データの内容を示す映像データ情報とを関連付けて格納する格納手段１０１と、格納手段に格納された映像データの中からユーザが閲覧を望む映像データを検索するための検索ワードをユーザから受け付ける入力受付手段１０２と、格納手段に格納された映像データ情報の中から、入力受付手段によって受け付けられた検索ワードを含む映像データ情報を検索する検索手段１０３と、検索された映像データ情報を単語に分割し、映像データ情報を特徴づける可能性のある単語である関連語を抽出する抽出手段１０４と、抽出された関連語を少なくとも出力する出力手段１０５とを有する。【選択図】  図１
2006215916.tif 000002
【特許請求の範囲】
【請求項１】
映像データと前記映像データの内容を示す映像データ情報とを関連付けて格納する格納手段と、
前記格納手段に格納された前記映像データの中からユーザが閲覧を望む映像データを検索するための検索ワードを前記ユーザから受け付ける入力受付手段と、
前記格納手段に格納された前記映像データ情報の中から、前記入力受付手段によって受け付けられた前記検索ワードを含む前記映像データ情報を検索する検索手段と、
前記検索手段によって検索された前記映像データ情報を単語に分割し、前記映像データ情報を特徴づける可能性のある単語である関連語を抽出する抽出手段と、
前記抽出手段によって抽出された前記関連語を少なくとも出力する出力手段とを、
有する映像閲覧装置。
【請求項２】
前記出力手段は、抽出された前記関連語のうちから所定の数の関連語を出力する請求項１に記載の映像閲覧装置。
【請求項３】
映像データと前記映像データの内容を示す映像データ情報とを関連付けて格納する記憶領域の前記映像データの中からユーザが閲覧を望む映像データを検索するための検索ワードを前記ユーザから受け付けるステップと、
前記記憶領域に格納された前記映像データ情報の中から、受け付けられた前記検索ワードを含む前記映像データ情報を検索するステップと、
検索された前記映像データ情報を単語に分割し、前記映像データ情報を特徴づける可能性のある単語である関連語を抽出するステップと、
抽出された前記関連語を少なくとも出力するステップとを、
有する映像閲覧方法。
【請求項４】
前記出力するステップにおいて、抽出された前記関連語のうちから所定の数の関連語を出力する請求項３に記載の映像閲覧方法。
【発明の詳細な説明】
【技術分野】
【０００１】
本発明は、録画された映像の内容をユーザに閲覧させる映像閲覧装置及び映像閲覧方法に関する。
【背景技術】
【０００２】
従来から、録画された映像のサムネイルを、番組表の形式若しくは番組をカテゴリー分けして表示させる方法が、例えば下記の非特許文献１に開示されている。ここで、番組表の形式による表示及びカテゴリーごとの分類による表示の概要を図３及び図４に示す。図３は録画された映像のサムネイル及びその番組名を番組表の形式によって表示したものであり、複数のチャンネル（１ＣＨ、３ＣＨ、４ＣＨ、・・・）ごとに録画された映像のサムネイルとその番組名が表示されている。例えば、１１月２８日の日曜日の１ＣＨの番組では１２時から１３時までの番組「カラオケのど自慢」が録画されており、録画されていることを示すサムネイルと番組名が表示されている。また、４ＣＨの番組では１３時から１４時までの番組「情報エクスプレス」が録画されており、録画されていることを示すサムネイルと番組名が表示されている。
【０００３】
一方、図４は録画された映像のサムネイル及びその番組名をカテゴリーごとの分類によって表示したものであり、複数のカテゴリー（「ドラマ、演劇」、「スポーツ」、「ドキュメンタリ、教養」、・・・）ごとに録画された映像のサムネイルとその番組名が表示されている。例えば、「ドラマ、演劇」に関する番組では、「家族」、「夢物語」、「新宿刑事」という番組が録画されており、それぞれについて録画されていることを示すサムネイルとその番組名が表示されている。
【非特許文献１】http://www.vaio.sony.co.jp/Products/VGX-X90P/feat1.html
【発明の開示】
【発明が解決しようとする課題】
【０００４】
しかしながら、非特許文献１に開示された技術では、システムや装置中にデフォルトとして指定（用意）されていないカテゴリー（例えば、「出演俳優名」や「探検」など）で所望の録画された映像を取得する際には、その都度、出演俳優名「○○」や「探検」といったキーワードを入力しなければならない。このキーワード入力作業は、密接に関連するキーワード（例えば、野球とメジャーリーグなど）であってもそれぞれのキーワードごとに行わなければならない。このようにキーワードごとに入力しなければ「野球」と「メジャーリーグ」に関するそれぞれの映像を取得することができない。また、キーワード入力はキーボードなどの入力手段のない家電製品においては困難である。
【０００５】
本発明は、上記問題を解決するためのものであり、ユーザによって入力されたキーワードに関連する他のキーワードを抽出し、それをユーザに選択させることによりユーザによるキーワード入力が省略でき、連鎖的に関連した映像を取得（閲覧）することができる映像閲覧装置及び映像閲覧方法を提供することを目的とする。
【課題を解決するための手段】
【０００６】
上記目的を達成するために、本発明によれば、映像データと前記映像データの内容を示す映像データ情報とを関連付けて格納する格納手段と、前記格納手段に格納された前記映像データの中からユーザが閲覧を望む映像データを検索するための検索ワードを前記ユーザから受け付ける入力受付手段と、前記格納手段に格納された前記映像データ情報の中から、前記入力受付手段によって受け付けられた前記検索ワードを含む前記映像データ情報を検索する検索手段と、前記検索手段によって検索された前記映像データ情報を単語に分割し、前記映像データ情報を特徴づける可能性のある単語である関連語を抽出する抽出手段と、前記抽出手段によって抽出された前記関連語を少なくとも出力する出力手段とを有する映像閲覧装置が提供される。この構成により、ユーザによって入力されたキーワードに関連する他のキーワードを抽出し、それをユーザに選択させることによりユーザによるキーワード入力が省略でき、連鎖的に関連した映像を取得（閲覧）することができる。
【０００７】
また、本発明の映像閲覧装置において、前記出力手段が抽出された前記関連語のうちから所定の数の関連語を出力することは、本発明の好ましい態様である。この構成により、膨大な量の関連語を出力する必要がなく、関連性の強い関連語のみを出力することも可能となる。
【０００８】
また、本発明によれば、映像データと前記映像データの内容を示す映像データ情報とを関連付けて格納する記憶領域の前記映像データの中からユーザが閲覧を望む映像データを検索するための検索ワードを前記ユーザから受け付けるステップと、前記記憶領域に格納された前記映像データ情報の中から、受け付けられた前記検索ワードを含む前記映像データ情報を検索するステップと、検索された前記映像データ情報を単語に分割し、前記映像データ情報を特徴づける可能性のある単語である関連語を抽出するステップと、抽出された前記関連語を少なくとも出力するステップとを有する映像閲覧方法が提供される。この構成により、ユーザによって入力されたキーワードに関連する他のキーワードを抽出し、それをユーザに選択させることによりユーザによるキーワード入力が省略でき、連鎖的に関連した映像を取得（閲覧）することができる。
【０００９】
また、本発明の映像閲覧方法において、前記出力するステップにおいて抽出された前記関連語のうちから所定の数の関連語を出力することは、本発明の好ましい態様である。この構成により、膨大な量の関連語を出力する必要がなく、関連性の強い関連語のみを出力することも可能となる。
【発明の効果】
【００１０】
本発明の映像閲覧装置及び映像閲覧方法は、上記構成を有し、ユーザによって入力されたキーワードに関連する他のキーワードを抽出し、それをユーザに選択させることによりユーザによるキーワード入力が省略でき、連鎖的に関連した映像を取得（閲覧）することができる。
【発明を実施するための最良の形態】
【００１１】
以下、本発明の実施の形態について、図１及び図２を用いて説明する。図１は本発明の実施の形態に係る映像閲覧装置の構成を示す構成図である。図２は本発明の実施の形態に係る映像閲覧装置における関連語抽出フローについて説明するためのフローチャートである。
【００１２】
まず、本発明の実施の形態に係る映像閲覧装置の構成について図１を用いて説明する。図１に示すように、映像閲覧装置１００は、格納手段１０１、入力受付手段１０２、検索手段１０３、抽出手段１０４、出力手段１０５から構成されている。これらの手段はバス１０６によってつながっている。また、映像閲覧装置１００は、外部の装置との通信を行うための不図示の通信インタフェースを有している。この通信インタフェースを介して後述する格納手段１０１に格納される情報などを取得することが可能となる。
【００１３】
格納手段１０１は、映像データと映像データの内容を示す映像データ情報とを関連付けて格納する手段であり、例えばメモリなどに相当するものである。ここで、映像データとは、例えば録画されたテレビ番組の映像データを言う。また、映像データ情報とは、例えば録画されたテレビ番組の映像データの内容を紹介する番組表のデータなどを言い、新聞などの媒体に掲載されている番組表より詳細であってもよい。なお、本発明の実施の形態に係る映像閲覧装置１００では、格納手段１０１に映像データと映像データ情報とが関連付けられて格納されているが、必ずしも格納手段１０１に格納されている必要はない。不図示の外部メモリなどに格納させておき、必要なときに映像データと映像データ情報とが格納された外部メモリを映像閲覧装置１００に接続し、処理をさせるようにしてもよい。
【００１４】
入力受付手段１０２は、格納手段１０１に格納された映像データの中からユーザが閲覧を望む映像データを検索するための検索ワード（キーワードとも言う）をユーザから受け付ける手段である。例えば、俳優「○○太郎」に関する映像データをユーザが閲覧したい場合には、ユーザは入力受付手段１０２を介して「○○太郎」というキーワードを入力する。検索手段１０３は、格納手段１０１に格納された映像データ情報の中から、入力受付手段１０２によって受け付けられたキーワードを含む映像データ情報を検索する。
【００１５】
例えば、検索手段１０３は、入力受付手段１０２を介して受け付けられたキーワード「○○太郎」を含む映像データ情報が格納手段１０１に存在するか否かを検索する。そして、検索手段１０３は、キーワード「○○太郎」を含む映像データ情報が存在する場合には、その映像データ情報に関連付けて格納手段１０１に格納された映像データの一部を画像化したサムネイルを不図示の表示手段（例えば、ディスプレイなど）に表示させるようにしてもよい。このサムネイルは、検索手段１０３が表示手段に表示させる際に、不図示のサムネイル生成手段が生成するようにしてもよく、またあらかじめ映像データ及び映像データ情報と共に格納手段１０１に格納されていてもよい。また、検索手段１０３は、サムネイルを表示手段に表示させずに映像データの番組名などを表示させるようにしてもよい。
【００１６】
抽出手段１０４は、「○○太郎」を含む映像データ情報が存在する場合には、該当する映像データ情報を単語に分割し、映像データ情報を特徴づける可能性のある単語である関連語を抽出する。ここで、映像データ情報を単語に分割する技術は公知の技術であり、本発明の実施の形態における単語の分割方法は、文章を適切に単語に分割できる方法であればよく、１つの方法に限られるものではない。また、単語に分割された映像データ情報からの関連語の抽出は、公知の関連キーワード抽出技術を用いて行うことができる。関連キーワード抽出技術とは、ある文書群を特徴づける語（関連語）を自動的に抽出する技術である。
【００１７】
関連キーワード抽出技術の一例としては、例えば、映像データ情報の各単語の出現頻度を計算し、出現頻度の高い順に単語を選択し、選択された単語を関連語とする技術がある。なお、この場合、所定の単語の上位概念及び下位概念の単語が関連付けられた辞書データをあらかじめ格納手段１０１に格納しておき、その辞書データに基づいて、抽出手段１０４によって抽出された関連語のうち受け付けられたキーワードの下位概念に相当する関連語のみをユーザへの提示対象の関連語とするようにしてもよい。これにより、より絞られた関連語を抽出することができる。例えば、辞書データ中に、「野球」という単語の上位概念に「スポーツ」、「運動」などという単語、下位概念に「メジャーリーグ」、「高校野球」などという単語が関連付けて格納されている場合を考える。受け付けられたキーワードが「野球」で、関連語として「スポーツ」と「メジャーリーグ」が抽出された場合、上位概念の「スポーツ」という単語も関連語としてしまうと、本来ユーザが望んでいるのは野球に関する情報であるのに、野球以外のスポーツに関する情報までもが抽出されてしまう。よって、上位概念の「スポーツ」という単語は関連語から除外し、下位概念の「メジャーリーグ」という単語のみをユーザへの提示対象の関連語とするようにしてもよい。
【００１８】
また、単語の出現頻度の情報に加え、映像データ情報に複数の単語が同時に存在する頻度を計算し、単語をグルーピングする方式などもある。この方式は、例えば、「田中」と「一郎」という単語がある映像データ情報中に同時に存在する場合には、これらの単語を１つの単語「田中一郎」として出現頻度を計算するものである。
【００１９】
出力手段１０５は、抽出手段１０４によって抽出された関連語を表示手段などに出力する。ここで、出力する形式としては、例えば関連語と関連語を含む映像データ情報とを関連付けて出力する形式があるが、これに限られるものではない。また、出力手段１０５は、抽出された関連語をすべて表示手段などに出力する以外に、所定の数の関連語のみを出力するようにしてもよい。所定の数とは、例えば出現頻度の高い順に１０個という数などを言う。この所定の数はこれに限られるものではない。
【００２０】
ユーザが表示手段などに表示された関連語を選択するなどの操作を行うと、出力手段１０５又は不図示の表示制御手段が、選択された関連語を含む映像データ情報、映像データ、サムネイルなどを表示手段に表示させる。これにより、ユーザは、入力受付手段１０２を介して入力したキーワードに関連する映像データ、映像データ情報、サムネイルなどを閲覧することができる。一方、さらに抽出された関連語を用いて連鎖的に検索を行う場合の具体的処理は、後述する図２のステップＳ２０６である。
【００２１】
次に、本発明の実施の形態に係る映像閲覧装置における関連語抽出フローについて図２を用いて説明する。図２に示すように、まず、ユーザから入力受付手段１０２を介して、格納手段１０１に格納された映像データの中からユーザが閲覧を望む映像データを検索するための検索ワードが入力（指定）される（ステップＳ２０１）。次に、検索手段１０３は、格納手段１０１に格納された映像データ情報の中から、入力受付手段１０２を介して受け付けられたキーワードを含む映像データ情報を検索する（ステップＳ２０２）。
【００２２】
次に、抽出手段１０４は、検索手段１０３によって検索された結果、映像データ情報が存在するか否かを判断し（ステップＳ２０３）、映像データ情報が存在する場合には、抽出手段１０４は該当する映像データ情報を単語に分割し、映像データ情報を特徴づける単語である関連語を抽出する（ステップＳ２０４）。なお、これらの処理は、検索手段１０３によって検索された映像データ情報の数だけ行われる。映像データ情報が存在しない場合には処理を終了する。次に、出力手段１０５は、抽出手段１０４によって抽出された関連語を表示手段などに出力する（ステップＳ２０５）。
【００２３】
そして、表示手段などに出力された関連語を見たユーザが選択した場合には、選択された関連語を含む映像データ情報、映像データ、サムネイルなどが出力手段１０５又は不図示の表示制御手段などによって表示手段などに表示される。一方で、抽出された関連語を用いて連鎖的に検索を行う場合には以下に示す処理が行われる（ステップＳ２０６）。この処理には、例えば以下の３つのパターンがあるがこの３つのパターンに限られるものではない。
【００２４】
１つ目のパターンは、抽出された関連語のうちユーザによって選択された関連語と最初に入力されたキーワードによるand若しくはorの条件で情報を検索するパターンである。２つ目のパターンは、抽出された関連語のうちユーザによって選択された関連語に基づいて新たに情報検索するパターンである。３つ目のパターンは、抽出された関連語のうちユーザによって任意に選択された複数の関連語によるand若しくはorの条件で情報を検索するパターンである。このように、関連語を抽出し、抽出された関連語を用いて更に新たな検索が行われることにより、ユーザは出力される関連語を選択するだけで関連する映像データを連鎖的に閲覧することが可能となる。
【産業上の利用可能性】
【００２５】
本発明に係る映像閲覧装置及び映像閲覧方法は、ユーザによって入力されたキーワードに関連するキーワードを抽出し、それをユーザに選択させることによりユーザによるキーワード入力が省略でき、連鎖的に関連した映像を取得（閲覧）することができるため、録画された映像の内容をユーザに閲覧させる映像閲覧装置及び映像閲覧方法などに有用である。
【図面の簡単な説明】
【００２６】
【図１】本発明の実施の形態に係る映像閲覧装置の構成を示す構成図である。
【図２】本発明の実施の形態に係る映像閲覧装置における関連語抽出フローについて説明するためのフローチャートである。
【図３】従来の映像閲覧装置において録画された映像のサムネイル及びその番組名を番組表の形式によって表示した一例を示す図である。
【図４】従来の映像閲覧装置において録画された映像のサムネイル及びその番組名をカテゴリーごとの分類によって表示した一例を示す図である。
【符号の説明】
【００２７】
１００  映像閲覧装置
１０１  格納手段
１０２  入力受付手段
１０３  検索手段
１０４  抽出手段
１０５  出力手段
１０６  バス
【図１】
2006215916.tif 000003
【図２】
2006215916.tif 000004
【図３】
2006215916.tif 000005
【図４】
2006215916.tif 000006